(57)【特許請求の範囲】
【請求項１】
二枚の平面基板をその間に液晶を封入して重ね合わせて成る液晶表示素子と、前記両平面基板のうち一方の平面基板に他方の平面基板からはみ出すように一体的に設けたはみ出し端子部と、このはみ出し端子部の表面に搭載した駆動用ＩＣチップと、外部への接続用のフレキシブルフラットケーブルとから成る液晶表示装置において、
前記フレキシブルフラットケーブルの一端部を、はみ出し端子部の端面に対して重ねて固着したことを特徴とする液晶表示装置の構造。
【請求項２】
前記請求項１において、前記前記はみ出し端子部の端面と表裏両面との角部に、面取り面を設けて、この面取り面にまでフレキシブルフラットケーブルの一端部を密接することを特徴とする液晶表示装置の構造。
【発明の詳細な説明】
【０００１】
【発明の属する技術分野】
本発明は、二枚の平面基板をその間に液晶を封入して重ね合わせて成る液晶表示素子に、駆動用ＩＣチップを搭載すると共に、外部への接続用のフレキシブルフラットケーブルの一端を固着して成る形式の液晶表示装置の構造に関するものである。
【０００２】
【従来の技術】
最近、携帯電話機等に使用される液晶表示装置は、図６及び図７に示すように、ガラス等の透明体による二枚の平面基板２，３をその間に液晶を封入して重ね合わせて液晶表示素子１を構成する場合に、前記両平面基板２，３のうち一方の平面基板２に他方の平面基板３からのはみ出し端子部４を一体的に設けて、このはみ出し端子部４の表面に、駆動用ＩＣチップ５を搭載すると共に、外部への接続用のフレキシブルフラットケーブル６の一端部６ａを重ねて固着すると言う構成にしている。
【０００３】
そして、この種の液晶表示装置において、その小型・軽量化を図るためには、前記はみ出し端子部４における幅寸法Ｗ、つまり、他方の平面基板３からのはみ出し寸法を出来るだけ小さくしなければならない。
【０００４】
【発明が解決しようとする課題】
しかし、従来のものは、このはみ出し端子部４の表面に、フレキシブルフラットケーブル６の一端部６ａを重ねて固着するように構成していることにより、前記はみ出し端子部４における幅寸法Ｗには、前記フレキシブルフラットケーブル６の一端部６ａの重ね代Ｌを必要とするから、このことが、前記はみ出し端子部４における幅寸法Ｗを小さくすること、ひいては、液晶表示装置の小型・軽量化の妨げになるという問題があった。
【０００５】
本発明は、この問題を解消した液晶表示装置の構造を提供することを技術的課題とするものである。
【０００６】
【課題を解決するための手段】
この技術的課題を達成するため本発明は、
「二枚の平面基板をその間に液晶を封入して重ね合わせて成る液晶表示素子と、前記両平面基板のうち一方の平面基板に他方の平面基板からはみ出すように一体的に設けたはみ出し端子部と、このはみ出し端子部の表面に搭載した駆動用ＩＣチップと、外部への接続用のフレキシブルフラットケーブルとから成る液晶表示装置において、
前記フレキシブルフラットケーブルの一端部を、はみ出し端子部の端面に対して重ねて固着する。」
と言う構成にした。
【０００７】
【発明の作用・効果】
このように、フレキシブルフラットケーブルの一端部を、はみ出し端子部の端面に対して重ねて固着することにより、前記はみ出し端子部における厚さ寸法、ひいては、一方の平面基板における厚さ寸法を、これに対するフレキシブルフラットケーブルの接続・固着に利用することができ、前記はみ出し端子部における幅寸法にフレキシブルフラットケーブルの一端部の重ね代を加算することを必要としないから、この分だけ、前記はみ出し端子部における幅寸法を小さくすることができるのである。
【０００８】
従って、本発明によると、はみ出し端子部における幅寸法を小さくできることにより、液晶表示装置を小型・軽量化できる効果を有する。
【０００９】
特に、請求項２に記載したように、前記はみ出し端子部の端面と表裏両面との角部に、面取り面を設けて、この面取り面にまでフレキシブルフラットケーブルの一端部を密接することにより、前記はみ出し端子部における端面に対するフレキシブルフラットケーブルの一端部の接続面積を大きくできて、その接続の確実性と、接続の強度とをアップすることができる利点を有する。
【００１０】
【発明の実施の形態】
以下、本発明の実施の形態を、図１〜図５の図面について説明する。
【００１１】
この図において、符号１１は、ガラス等の透明体製のフロント側平面基板１２と、リア側の平明基板１３とを、その間に液晶を封入して重ね合わせて成る液晶表示素子を示し、この液晶表示素子１１におけるリア側平面基板１３には、フロント側平面基板１２からはみ出すようにしたはみ出し端子部１４が一体的に設けられ、このはみ出し端子部１４における表面（上面）１４ａには、駆動用ＩＣチップ１５が搭載されている。
【００１２】
また、符号１６は、複数本の電線１６ａを内蔵したフレキシブルフラットケーブルを示し、このフレキシブルフラットケーブル１６における一端部１６ｂは、前記各電線１６ａが露出するように構成されている。
【００１３】
前記リア側平面基板１３のはみ出し端子部１４において、その端面１４ｂと前記表面１４ａとの角部、及び端面１４ｂと裏面（下面）１４ｃとの角部には、各々面取り面１４ｄ，１４ｅを形成して、前記駆動用ＩＣチップ１５への各種複数本の配線パターン１７を、はみ出し端子部１４における表面１４ａから前記端面１４ｂ及び両面取り面１４ｄ，１４ｅにまで延びるように形成する。
【００１４】
そして、前記フレキシブルフラットケーブル１６を、前記リア側平面基板１３におけるはみ出し端子部１４の裏面（下面）１４ｃから下向きに延びるように配設して、その一端部１６ｂを、前記はみ出し端子部１４における端面１４ｂ及び両面取り面１４ｄ，１４ｅに対して、当該一端部１６ｂにおける各配線１６ａを前記端面１４及び両面取り面１４ｄ，１４ｅにおける各配線パターン１７に電気的に接続するように接着・固着するのである。
【００１５】
この接着・固着に際しては、例えば、図３に示すように、前記はみ出し端子部１４における端面１４ｂと、フレキシブルフラットケーブル１６における一端部１６ｂとの間に、合成樹脂に導電粒子を練り込んで成る異方性導電フィルム１８を挟んだのち、前記一端部１６ｂを、先端にゴム等の軟質弾性体２０を備えたプレス体１９にて、前記はみ出し端子部１４における端面１４ｂに対して押圧して、この押圧状態で、前記異方性導電フィルム１８を加熱等にて硬化することによって行うのである。
【００１６】
これにより、前記異方性導電フィルム１８のうち各電線１６ａ及び各配線パターン１７間の部分が特に圧縮変形されこの部分における導電粒子が互いに密着することにより、各電線１６ａと各配線パターン１７とを電気的に接続することができる同時に、前記一端部１６ｂを、この異方性導電フィルム１８により、前記はみ出し端子部１４における端面１４ｂ及び両面取り面１４ｄ，１４ｅに対して密着するようにして固着することができるのである。
【００１７】
特に、携帯電話機においては、一般的に言って、図２に示すように、前記液晶表示素子１１を、回路基板２１の上部に配設して、その間にバッテリー２２を設ける一方、前記フレキシブルフラットケーブル１６を、前記バッテリー２２の下側にもぐり込むように内向きに曲げたのち、前記回路基板２１に接続すると言う構成が採用されている。
【００１８】
そこで、前記したように、フレキシブルフラットケーブル１６における一端部１６ｂを、前記はみ出し端子部１４における端面１４ｂ及び両面取り面１４ｄ，１４ｅに対して密着するようにして固着することにより、前記フレキシブルフラットケーブル１６の前記はみ出し端子部１４に対する接続の付け根部に内向きへの曲がり癖を付けることができるから、このフレキシブルフラットケーブル１６を前記バッテリー２２の下側にもぐり込むように内向き曲げることが容易にできるようになると共に、前記フレキシブルフラットケーブル１６を前記したように内向き曲げるときにおいて、その途中の部分が前記はみ出し端子部１４における端面１４ｂから外向きに突出することなく、フレキシブルフラットケーブル１６の全体を液晶表示素子１１の下側に位置することができて、小型化を図ることができるのである。
【００１９】
これに対して、前記フレキシブルフラットケーブル１６の一端部１６ｂを、図６及び図７に示す従来のように、前記はみ出し端子部１４の表面（上面）１４ａに対して重ねて接続した場合には、この前記フレキシブルフラットケーブル１６を前記したように内向き曲げるときにおいて、その途中の部分が前記はみ出し端子部１４における端面１４ｂから外向きに突出することになるから、大型化を招来する。
【００２０】
なお、本発明は、フレキシブルフラットケーブルの一端部を、前記したように、異方性導電フィルムを使用して接続する場合に限らず、このフレキシブルフラットケーブルにおける各電線を配線パターンに対して半田付けに接続する場合にも適用できることはいうまでもない。
【図面の簡単な説明】
【図１】本発明の実施の形態を示す斜視図である。
【図２】図１のII−II視拡大断面図である。
【図３】本発明の実施の形態においてフレキシブルフラットケーブルの一端部を接続する前の状態を示す拡大断面図である。
【図４】図３の平面図である。
【図５】本発明の実施の形態においてフレキシブルフラットケーブルの一端部を接続している状態を示す拡大断面図である。
【図６】従来の例を示す斜視図である。
【図７】図６のVII −VII 視拡大断面図である。
【符号の説明】
１１                  液晶表示素子
１２，１３            平面基板
１４                  はみ出し端子部
１４ａ                はみ出し端子部の表面
１４ｂ                はみ出し端子部の端面
１５                  駆動用ＩＣチップ
１６                  フレキシブルフラットケーブル
１５ａ                フレキシブルフラットケーブルの電線
１６ｂ                フレキシブルフラットケーブルの一端部
１７                  配線パターン
１８                  異方性導電フィルム
【図１】
0003789680.tif 000002
【図２】
0003789680.tif 000003
【図３】
0003789680.tif 000004
【図４】
0003789680.tif 000005
【図５】
0003789680.tif 000006
【図６】
0003789680.tif 000007
【図７】
0003789680.tif 000008